(57)【要約】【課題】折り曲げ加工時のクラックの発生を防止して強度を向上するとともに、破断縁のバリや剪断縁と破断縁との境界に生じる段差やバリの影響を排除して、組み付け精度を向上し、シュー等の当接する部材の損傷を防止するチェーンガイドプレートを提供すること。【解決手段】チェーンＣに摺接するシューが装着されるシュー支持部１１０と１つ以上の第１屈曲部１２０および第２屈曲部１３０を介して連接された取付座１４０とを有しているチェーンガイドプレート１００において、第１屈曲部１２０および第２屈曲部１３０の端面の折り曲げ外側と、シュー固定爪１６３が係合する係合孔１７０のシュー固定爪側端面が外形輪郭加工時に生じる剪断縁Ｓとなるように形成されていること。【選択図】図５
2010209939.tif 000002
【特許請求の範囲】
【請求項１】
チェーンに摺接するシューが装着されるシュー支持部と、前記シュー支持部と１つ以上の屈曲部を介して連接された取付座とを有しているチェーンガイドプレートにおいて、
前記屈曲部が、端面の折り曲げ外側を外形輪郭加工時に生じる剪断縁とするように形成され、
前記シュー支持部に隣接して、前記シューに設けられたシュー固定爪が係合する係合孔が設けられ、
前記係合孔が、内面の前記シュー固定爪が係合する端面のシュー固定爪側を外形輪郭加工時に生じる剪断縁とするように形成されていることを特徴とするチェーンガイドプレート。
【請求項２】
前記係合孔が、前記シュー支持部に隣接する屈曲部に設けられ、
前記係合孔が、内面端面の折り曲げ外側を外形輪郭加工時に生じる剪断縁とするとともに、内面の前記シュー固定爪が係合する端面のシュー固定爪側を外形輪郭加工時に生じる剪断縁とするように形成されていることを特徴とする請求項１に記載のチェーンガイドプレート。
【請求項３】
前記剪断縁が不連続となる部分にヌスミ部が形成されていることを特徴とする請求項１または請求項２に記載のチェーンガイドプレート。
【請求項４】
前記取付座が、端面の取付面側を外形輪郭加工時に生じる剪断縁とするように形成されていることを特徴とする請求項１乃至請求項３のいずれかに記載のチェーンガイドプレート。
【請求項５】
前記取付座が、取付面と固定されるためのボルトが挿入されるボルト孔を有し、
該ボルト孔が、内面端面のボルト挿入側を外形輪郭加工時に生じる剪断縁とするように形成されていることを特徴とする請求項４に記載のチェーンガイドプレート。
【発明の詳細な説明】
【技術分野】
【０００１】
本発明は、チェーンに摺接しチェーンの張力保持、摺動案内に用いられるチェーンガイドプレートに関するものであり、例えば、駆動側スプロケットと従動側スプロケットとに周回して循環走行させるローラチェーンやサイレントチェーンなどのチェーンによって動力を伝達する自動車用エンジンなどのタイミングシステムに用いるチェーンガイドプレートに関するものである。
【背景技術】
【０００２】
従来、チェーンガイドプレートを製造する工程において金属板素材からの外形輪郭打抜後に折り曲げ加工しており、外形輪郭打抜加工時に打ち抜かれた端面の打抜型の挿入側が剪断縁、打抜側が破断縁となるが、破断縁が折り曲げ方向外側となると、破断縁に生じるバリに含まれている微少なクラックに引張力がかかって、折り曲げ加工の際にクラックが拡大し強度が低下することがあった。
そこで、すべての屈曲部の折り曲げ方向外側を剪断縁とするように形成され、折り曲げ加工時にクラックの発生がないチェーンガイドプレートが知られている。
【０００３】
公知のチェーンガイドプレート５００は、図６、図７に示すように、シュー（図示せず）が装着されるシュー支持部５１０と、シュー支持部５１０と一体に打ち抜き形成されてシュー支持部５１０と第１屈曲部５２０、第２屈曲部５３０を介して側方に連接された取付座５４０、５５０とを有している。
それぞれの取付座５４０、５５０は、固定するためのボルト孔５４１、５５１を有しており、シュー支持部５１０を挟んで互いに反対向きに折り曲げられている。
【０００４】
第１屈曲部５２０の幅方向両側端面には、図８に示すように、折り曲げ方向外側に剪断縁Ｓが、内側に破断縁が位置している。
剪断縁Ｓ及び破断縁は金属板素材からチェーンガイドプレート５００の外形輪郭を打ち抜き加工された際に生じたものであって、取付座５４０は打ち抜き加工に続いて直ちに第１屈曲部５２０を折り曲げ加工しても、折り曲げ加工時に引張り応力が作用する折り曲げ方向外側の表面が平滑な剪断縁Ｓとなっているため、ここからクラックが拡大し強度が低下するという問題は生じない。
【０００５】
一方、取付座５５０の側端面には、第２屈曲部５３０の折り曲げ方向外側に破断縁が形成され、内側に剪断縁Ｓが形成されているが、図９に示すように、第２屈曲部５３０の両側端面だけは、２次打抜加工等を施し折り曲げ方向外側に剪断縁Ｓが形成されている（例えば、特許文献１等参照）。
【先行技術文献】
【特許文献】
【０００６】
【特許文献１】特許第３２１３５５０号公報（第３頁、図１乃至図４）
【発明の概要】
【発明が解決しようとする課題】
【０００７】
しかしながら、公知のチェーンガイドプレート５００は、破断縁に発生するバリや、剪断縁Ｓと破断縁との境界に生じる段差やバリが他の部材に与える影響については何ら考慮されておらず、シュー支持部５１０における破断縁のバリや剪断縁Ｓと破断縁との境界に生じる段差やバリの位置により、装着されるシューの組み付け精度が低下したり、バリによってシュー等の当接する部材に損傷を与えたりするという問題があった。
また、取付座５４０、５５０の取付面側やボルト孔５４１、５５１の挿入側に破断縁のバリや剪断縁Ｓと破断縁との境界に生じる段差やバリ存在した場合、バリの変形や脱落によってガタが生じたり、組み付け精度が低下したりするという問題があった。
【０００８】
本発明は、前述したような従来技術の問題を解決するものであって、すなわち、本発明の目的は、折り曲げ加工時のクラックの発生を防止して強度を向上するとともに、破断縁のバリや剪断縁と破断縁との境界に生じる段差やバリの影響を排除して、組み付け精度を向上し、シュー等の当接する部材の損傷を防止するチェーンガイドプレートを提供することである。
【課題を解決するための手段】
【０００９】
本請求項１に係る発明は、チェーンに摺接するシューが装着されるシュー支持部と、前記シュー支持部と１つ以上の屈曲部を介して連接された取付座とを有しているチェーンガイドプレートにおいて、前記屈曲部が、端面の折り曲げ外側を外形輪郭加工時に生じる剪断縁とするように形成され、前記シュー支持部に隣接して、前記シューに設けられたシュー固定爪が係合する係合孔が設けられ、前記係合孔が、内面の前記シュー固定爪が係合する端面のシュー固定爪側を外形輪郭加工時に生じる剪断縁とするように形成されていることにより、前記課題を解決するものである。
【００１０】
本請求項２に係る発明は、請求項１に記載されたチェーンガイドプレートの構成に加えて、前記係合孔が、前記シュー支持部に隣接する屈曲部に設けられ、前記係合孔が、内面端面の折り曲げ外側を外形輪郭加工時に生じる剪断縁とするとともに、内面の前記シュー固定爪が係合する端面のシュー固定爪側を外形輪郭加工時に生じる剪断縁とするように形成されていることにより、前記課題をさらに解決するものである。
【００１１】
本請求項３に係る発明は、請求項１または請求項２に記載されたチェーンガイドプレートの構成に加えて、前記剪断縁が不連続となる部分にヌスミ部が形成されていることにより、前記課題をさらに解決するものである。
【００１２】
本請求項４に係る発明は、請求項１乃至請求項３のいずれかに記載されたチェーンガイドプレートの構成に加えて、前記取付座が、端面の取付面側を外形輪郭加工時に生じる剪断縁とするように形成されていることにより、前記課題をさらに解決するものである。
【００１３】
本請求項５に係る発明は、請求項４に記載されたチェーンガイドプレートの構成に加えて、前記取付座が、取付面と固定されるためのボルトが挿入されるボルト孔を有し、該ボルト孔が、内面端面のボルト挿入側を外形輪郭加工時に生じる剪断縁とするように形成されていることにより、前記課題をさらに解決するものである。
【発明の効果】
【００１４】
本請求項１に係る発明のチェーンガイドプレートは、チェーンに摺接するシューが装着されるシュー支持部と、シュー支持部と１つ以上の屈曲部を介して連接された取付座とを有し、屈曲部が端面の折り曲げ外側を外形輪郭加工時に生じる剪断縁とするように形成されていることにより、微少なクラックが生じている破断縁が折り曲げ内側、滑らかな面となっている剪断縁が折り曲げ外側に位置するため、破断縁のバリやクラックに引張力がかかって屈曲部にクラックが拡大し強度が低下することなく折り曲げ加工を行うことができる。
【００１５】
また、シュー支持部に隣接してシューに設けられたシュー固定爪が係合する係合孔が設けられ、係合孔が内面の前記シュー固定爪が係合する端面のシュー固定爪側を外形輪郭加工時に生じる剪断縁とするように形成されていることにより、シュー固定爪に破断縁に生じたバリが接することがないため、シュー固定爪と係合孔との組み付け精度が向上するとともに、バリによってシュー固定爪が損傷されることを防止することができる。
【００１６】
本請求項２に係る発明のチェーンガイドプレートは、請求項１に係るチェーンガイドプレートが奏する効果に加えて、係合孔がシュー支持部に隣接する屈曲部に設けられ、係合孔が内面端面の折り曲げ外側を外形輪郭加工時に生じる剪断縁とするとともに、内面の前記シュー固定爪が係合する端面のシュー固定爪側を外形輪郭加工時に生じる剪断縁とするように形成されていることにより、シュー固定爪に破断縁に生じたバリが接することがないため、シュー固定爪と係合孔との組み付け精度が向上し、バリによってシュー固定爪が損傷されることを防止することができるとともに、係合孔の内面においても破断縁のバリやクラックに引張力がかかって屈曲部にクラックが拡大し強度が低下することなく折り曲げ加工を行うことができる。
【００１７】
本請求項３に係る発明のチェーンガイドプレートは、請求項１または請求項２に係るチェーンガイドプレートが奏する効果に加えて、剪断縁が不連続となる部分にヌスミ部が形成されていることにより、係合孔の内面のシュー固定爪が係合する端面と他の内面端面とで剪断縁と破断縁が不連続となる部分における段差やバリをヌスミの内部に形成することができるため、係合孔の内面端面の表面から段差やバリが突出してシュー固定爪の側面から当接することが防止され、さらにシュー固定爪と係合孔との組み付け精度が向上するとともに、振動等によりバリによってシュー固定爪が損傷されることを防止することができる。
【００１８】
本請求項４に係る発明のチェーンガイドプレートは、請求項１乃至請求項３のいずれかに係るチェーンガイドプレートが奏する効果に加えて、取付座が端面の取付面側を外形輪郭加工時に生じる剪断縁とするように形成されていることにより、破断縁に生じているバリが固定部に接することがないため、バリの変形や脱落によってガタが生じることを防止することができ、組み付け精度を向上することができる。
【００１９】
本請求項５に係る発明のチェーンガイドプレートは、請求項４に係るチェーンガイドプレートが奏する効果に加えて、取付座が、取付面と固定されるためのボルトが挿入されるボルト孔を有し、該ボルト孔が、内面端面のボルト挿入側を外形輪郭加工時に生じる剪断縁とするように形成されていることにより、破断縁に生じているバリがボルトの頭部に接することがないため、バリの変形や脱落によるボルトの緩みを防止することができ、組み付け精度を向上することができる。
【図面の簡単な説明】
【００２０】
【図１】本発明の一実施例であるチェーンガイドプレートの使用説明図。
【図２】本発明の一実施例であるチェーンガイドプレートの斜視図。
【図３】本発明の一実施例であるチェーンガイドプレートに支持されるシューの斜視図。
【図４】本発明の一実施例であるチェーンガイドプレートとシューの取付説明図。
【図５】本発明の一実施例であるチェーンガイドプレートの剪断縁と破断縁の説明図。
【図６】従来のチェーンガイドプレートの平面図。
【図７】従来のチェーンガイドプレートの正面図。
【図８】従来のチェーンガイドプレートの図６のＡ−Ａ線からの側面図。
【図９】従来のチェーンガイドプレートの図６のＢ−Ｂ線からの側面図。
【発明を実施するための形態】
【００２１】
本発明は、チェーンに摺接するシューが装着されるシュー支持部と、シュー支持部と１つ以上の屈曲部を介して連接された取付座とを有しているチェーンガイドプレートにおいて、屈曲部が端面の折り曲げ外側を外形輪郭加工時に生じる剪断縁とするように形成され、シュー支持部に隣接する屈曲部には、シューに設けられたシュー固定爪が係合する係合孔が設けられ、係合孔が内面端面の折り曲げ外側を外形輪郭加工時に生じる剪断縁とするとともに、内面の前記シュー固定爪が係合する端面のシュー固定爪側を外形輪郭加工時に生じる剪断縁とするように形成されてなり、折り曲げ加工時のクラックの発生が防止され強度を向上するとともに、破断縁のバリや剪断縁と破断縁との境界に生じる段差やバリの影響を排除して、組み付け精度が向上し、シュー等の当接する部材の損傷を防止することができるという効果を奏するものであれば、その具体的な実施態様は如何なるものであっても何ら構わない。
【実施例】
【００２２】
本発明の一実施例であるチェーンガイドプレート１００が適用される内燃機関等のエンジンブロック端部に設けられるタイミングシステム２００は、図１に示すように、伝動チェーンＣ、クランクスプロケットＳ１、２つのカムスプロケットＳ２、案内ガイド２１０、張力付与ガイド２３０、チェーンテンショナ２２０およびチェーンガイドプレート１００等を有し、エンジンブロック２０１の端部に設けられている。
【００２３】
案内ガイド２１０は張り側のカムスプロケットＳ２とクランクスプロケットＳ１の間を走行する伝動チェーンＣと摺接する案内面にガイドシュー２１１を有し、固定部２１２、２１２でエンジンブロック２０１の端面に固定されている。
張力付与ガイド２３０は緩み側のカムスプロケットＳ２とクランクスプロケットＳ１の間を走行する伝動チェーンＣと摺接する案内面にガイドシュー２３１を有し、揺動ピン２３２によりエンジンブロック２０１の端面に揺動自在に支持され、チェーンテンショナ２２０の押圧ピストン２２１により張力付与ガイド２３０を伝動チェーンＣ側に押圧揺動することにより伝動チェーンＣに張力を付与する。
チェーンテンショナ２２０は固定部２２２、２２２でエンジンブロック２０１の端面に固定されている。
【００２４】
チェーンガイドプレート１００は、２つのカムスプロケットＳ２の間を走行する伝動チェーンＣと摺接する案内面にシュー１６０を有し、取付座１４０でエンジンブロック２０１の端部上面の取付部に固定されている。
【００２５】
本発明の一実施例であるチェーンガイドプレート１００について、以下に詳細に説明する。
チェーンガイドプレート１００は、図２に示すように、チェーンＣに摺接するシュー１６０が装着されるシュー支持部１１０と、エンジンブロック２０１の端部上面に固定される取付座１４０とを有し、シュー支持部１１０と取付座１４０との間に第１屈曲部１２０、立設部１８０、第２屈曲部１３０が設けられている。
また、シュー支持部１１０に連接する第１屈曲部１２０には係合孔１７０が設けられており、取付座１４０には、ボルト孔１４１が設けられている。
【００２６】
シュー支持部１１０に支持されるシュー１６０は、図３に示すように、下方にチェーンＣに摺接するチェーン摺接面１６４、上面にシュー支持部１１０と当接する支持当接面１６５を有し、支持当接面１６５の一方の側方の上流側に前方係合部１６１、下流側に後方係合部１６２が、他方の側方の中央部にシュー固定爪１６３が設けられている。
また、チェーンＣ走行方向の上流側の端部には固定壁部１６６が設けられている。
【００２７】
シュー１６０は、図４に示すように、支持当接面１６５と前方係合部１６１および後方係合部１６２でシュー支持部１１０をチェーンＣの走行方向側方から挟むようにして取り付けられ、シュー固定爪１６３がチェーンガイドプレート１００の係合孔１７０に係合することでチェーンＣの幅方向にシュー１６０が固定され、固定壁部１６６によりチェーンＣ走行方向にもシュー１６０が固定される。
【００２８】
この本発明のチェーンガイドプレート１００は、製造工程において形成される剪断縁Ｓが場所に応じて表裏のいずれかを選択するように形成され、連続する端面に剪断縁Ｓが逆の面となり不連続となる境界部が存在する場合、該境界部にはヌスミ部Ｎが設けられている。
すなわち、図５に示すように、チェーンガイドプレート１００の外形端面は、第１屈曲部１２０および第２屈曲部１３０の端面が折り曲げ外側を剪断縁Ｓとするように形成され、取付座１４０の端面が取付面側を剪断縁Ｓとするように形成され、剪断縁Ｓが逆の面となり不連続となる境界部にヌスミ部Ｎが設けられている。
【００２９】
また、チェーンガイドプレート１００の係合孔１７０は第１屈曲部１２０に設けられており、内面のシュー固定爪１６３が係合する端面のシュー固定爪１６３側を剪断縁Ｓとするように形成され、内面の屈曲する端面の折り曲げ外側を剪断縁Ｓとするように形成され、剪断縁Ｓが逆の面となり不連続となる境界部にヌスミ部Ｎが設けられている。
【００３０】
さらに、取付座１４０にはエンジンブロック２０１の取付面に固定するためのボルト孔１４１が設けられており、このボルト孔１４１の内面端面のボルト挿入側を剪断縁Ｓとするように形成されている。
【００３１】
以上のように剪断縁Ｓおよびヌスミ部Ｎを設けた本発明のチェーンガイドプレート１００によれば、屈曲部において、微少なクラックが生じている破断縁が折り曲げ内側、滑らかな面となっている剪断縁Ｓが折り曲げ外側に位置するため、破断縁のバリやクラックに引張力がかかって屈曲部にクラックが拡大し強度が低下することなく折り曲げ加工を行うことができるとともに、シュー固定爪１６３に破断縁に生じたバリが接することがなく、シュー固定爪１６３と係合孔１７０との組み付け精度が向上するとともに、バリによってシュー固定爪１６３が損傷されることを防止することができる。
【００３２】
また、取付座１４０の端面の破断縁に生じているバリがエンジンブロック２０１に接することがなく、ボルト孔１４１の内面端面の破断縁に生じているバリがボルトの頭部に接することがないため、バリの変形や脱落によってガタが生じることを防止することができ、組み付け精度を向上することができる。
さらに、ヌスミ部Ｎによって剪断縁Ｓと破断縁との境界に生じる段差やバリの影響を排除して、組み付け精度を向上し当接する部材の損傷を防止することができる。
【００３３】
なお、本発明のチェーンガイドプレートは、その全体形状、屈曲部の数、シューの取付形態等はいかなるものであっても良く、従来例で述べた案内ガイドや張力付与ガイドの形状、構造とし、それらの用途で使用しても良い。
また、金属板素材からの外形輪郭打抜後に折り曲げ加工して形成され、破断縁の悪影響を排除すべき用途の金属部品であれば、いかなる金属部品として使用されても良い。
【符号の説明】
【００３４】
１００、５００  ・・・チェーンガイドプレート
１１０、５１０  ・・・シュー支持部
１２０、５２０  ・・・第１屈曲部
１３０、５３０  ・・・第２屈曲部
１４０、５４０  ・・・取付座
１４１、５４１  ・・・ボルト孔
５５０  ・・・取付座
５５１  ・・・ボルト孔
１６０          ・・・シュー
１６１          ・・・前方係合部
１６２          ・・・後方係合部
１６３          ・・・シュー固定爪
１６４          ・・・チェーン摺接面
１６５          ・・・支持当接面
１６６          ・・・固定壁部
１７０          ・・・係合孔
１８０          ・・・立設部
２００          ・・・タイミングシステム
２０１          ・・・エンジンブロック
２１０          ・・・案内ガイド
２１１          ・・・ガイドシュー
２１２          ・・・固定部
２２０          ・・・チェーンテンショナ
２２１          ・・・押圧ピストン
２２２          ・・・固定部
２３０          ・・・張力付与ガイド
２３１          ・・・ガイドシュー
２３２          ・・・揺動ピン
Ｓ            ・・・剪断縁
Ｎ            ・・・ヌスミ部
Ｃ            ・・・伝動チェーン
Ｓ１          ・・・クランクスプロケット
Ｓ２          ・・・カムスプロケット
【図１】
2010209939.tif 000003
【図２】
2010209939.tif 000004
【図３】
2010209939.tif 000005
【図４】
2010209939.tif 000006
【図５】
2010209939.tif 000007
【図６】
2010209939.tif 000008
【図７】
2010209939.tif 000009
【図８】
2010209939.tif 000010
【図９】
2010209939.tif 000011